(57)【特許請求の範囲】
【請求項１】
書換え可能な第一の記憶媒体および一度だけ書き込みが可能な第二の記憶媒体のいずれかが挿入可能な挿入部と、
前記挿入部にいずれの記憶媒体が挿入されたかを検出する検出部と、
撮像部と、
前記撮像部によって撮像された画像を前記挿入部に挿入された記憶媒体に記憶する制御部と、
前記記憶媒体に記憶されている画像を表示する表示部と、
前記表示部に画像を表示する再生モードにおいて、デジタルカメラが実行可能な指示を示すメニュー項目を前記表示部に表示する表示制御部と、
前記検出部がいずれの記憶媒体を検出したかに基づいて前記表示制御部の制御により前記表示部に表示する前記メニュー項目を変更する表示変更処理部とを有することを特徴とするデジタルカメラ。
【請求項２】
前記メニュー項目は、記憶媒体に記憶されている画像を削除するための削除処理を示す削除メニュー項目を含み、
前記表示変更処理部は、前記検出部が第二の記憶媒体を検出したとき前記削除メニュー項目を前記表示部に表示しないことを特徴とする請求項１記載のデジタルカメラ。
【請求項３】
前記メニュー項目は、前記記憶媒体において削除不能状態で記憶される画像を削除可能状態とする削除不能解除処理を示す削除不能解除メニュー項目を含み、
前記表示変更処理部は、前記検出部が第二の記憶媒体を検出したとき前記削除不能解除メニュー項目を前記表示部に表示しないことを特徴とする請求項１または２に記載のデジタルカメラ。
【請求項４】
前記表示変更処理部は、前記検出部が第二の記憶媒体を検出したとき、第二の記憶媒体専用の削除指示メニュー項目を前記表示部に表示することを特徴とする請求項１から３のいずれかに記載のデジタルカメラ。
【発明の詳細な説明】
【技術分野】
【０００１】
この発明は、デジタルカメラに関する。
【背景技術】
【０００２】
デジタルカメラでは、メモリカードなどの交換可能な記憶媒体を挿入し、これに画像情報を記憶している。しかしながら、記憶媒体の容量およびコストは満足できるものではない。特に書換え可能な記憶媒体にかかるコストは大きく、一度だけ書き込みが可能な記憶媒体を廉価で提供することも提案されている。
【発明の開示】
【発明が解決しようとする課題】
【０００３】
この発明の課題は、上記に鑑み、書換え可能な記憶媒体と一度だけ書込みが可能な記憶媒体が混在する場合でも、使用者が混乱することなく使用することができるデジタルカメラおよび記憶媒体を提供することにある。
【課題を解決するための手段】
【０００４】
上記の課題を解決するため、この発明は、書換え可能な第一の記憶媒体および一度だけ書き込みが可能な第二の記憶媒体のいずれかが挿入可能な挿入部と、前記挿入部にいずれの記憶媒体が挿入されたかを検出する検出部と、撮像部と、前記撮像部によって撮像された画像を前記挿入部に挿入された記憶媒体に記憶する制御部と、前記記憶媒体に記憶されている画像を表示する表示部と、前記表示部に画像を表示する再生モードにおいて、デジタルカメラが実行可能な指示を示すメニュー項目を前記表示部に表示する表示制御部と、  前記検出部がいずれの記憶媒体を検出したかに基づいて前記表示制御部の制御により前記表示部に表示する前記メニュー項目を変更する表示変更処理部とを有するデジタルカメラを提供する。
【発明の効果】
【０００５】
書換え可能な記憶媒体と一度だけ書込みが可能な記憶媒体が混在する場合でも、使用者が混乱することなく使用することができるデジタルカメラおよび記憶媒体を提供することができる。
【発明を実施するための最良の形態】
【０００６】
この発明は、書換え可能な第一の記憶媒体および一度だけ書き込みが可能な第二の記憶媒体のいずれかが挿入可能な挿入部を有するデジタルカメラを提供し、挿入部にいずれの記憶媒体が挿入されたかを検出する検出部と、撮像された画像を前記挿入部に挿入された記憶媒体に記憶する制御部と、検出部がいずれの記憶媒体が検出されたかを表示する表示部を設ける。これによって使用者は挿入した記憶媒体の誤認に基づく種々の混乱を免れることができる。具体的には、第二の記憶媒体が挿入されている場合、不要画像を削除することによって記憶媒体の容量を増やすことができないが、上記のような表示部の表示によりこのことを認識してデジタルカメラを使用することができ、予め予備の記憶媒体を用意しておくことなどの対策をとることができる。
この発明の他の特徴によれば、検出部が第二の記憶媒体を検出したときは記憶部に記憶される画像をすべて削除不能とするデジタルカメラが提供される。これによって、第一の記憶媒体であると誤認して第二の記憶媒体に記憶した画像が削除指示されるのを防止することができる。また、この構成によれば、第二の記憶媒体を、繰返し書換えに対する性能保証を欠く以外は書換え可能記憶媒体と基本的に共通の構成とすることもできる。
【０００７】
この発明の他の特徴によれば、記憶媒体に記憶されている画像を削除するための削除指示部と、検出部が第二の記憶媒体を検出したときは削除指示部の指示を無効とする無効処理部とを有するデジタルカメラが提供される。これによって第一の記憶媒体と誤認して第二の記憶媒体に記憶した画像が削除されるのを防止することができる。
【０００８】
この発明の他の特徴によれば、記憶部において削除不能状態で記憶される画像を削除可能状態とする削除不能解除指示部と、検出部が第二の記憶媒体を検出したときは削除不能解除指示部の指示を無効とする無効処理部とを有するデジタルカメラが提供される。これによって、削除不能状態で記憶されている第二の記憶媒体が誤って削除可能とされてしまうことが防止できる。
【０００９】
この発明の他の特徴によれば、デジタルカメラに可能な指示を表示する表示部と、検出部がいずれの記憶媒体を検出したかに基づいて表示部の表示を異ならしめる表示変更処理部とを有するデジタルカメラが提供される。これによって、混乱が生じるような指示を予め表示部から除外しておくことができ、第一の記憶媒体および第二の記憶媒体それぞれに必要な指示を間違いなく行うことができる。表示を異ならしめる具体例としては、検出部が第二の記憶媒体を検出したとき削除指示表示を表示部に表示しないようにする。また、検出部が第二の記憶媒体を検出したとき削除不能解除指示表示を表示部に表示しないようにする。さらには、検出部が第二の記憶媒体を検出したとき、第二の記憶媒体専用の削除指示を表示部に表示するようにする。
【００１０】
この発明の他の特徴によれば、記憶媒体に記憶されている画像を削除するための削除指示部をデジタルカメラに設けるとともに、検出部がいずれの記憶媒体を検出したかに基づいて削除指示部の指示に基づく削除方法を異ならしめる。第二の記憶媒体は画像の削除を行っても記憶容量が増えないので通常は削除が行われることはない。しかしながら、どうしても残したくない画像や、他人に見せたくない画像など、特別に削除したい画像を撮像してしまう場合もある。この場合は通常の削除とは異なる方法によって削除の実行を行う。具体的には、検出部が第二の記憶媒体を検出したとき、削除指示部に基づいて第二の記憶媒体における削除対象画像情報の記憶エリアに特定データを書き込むようにする。また、検出部が第二の記憶媒体を検出したとき、削除指示部に基づいて第二の記憶媒体における削除対象画像情報の記憶エリアに対応する管理情報を空きエリアでない旨の情報とする。
【００１１】
この発明の他の特徴によれば、記憶媒体に記憶されている画像を削除するための削除指示部をデジタルカメラに設けるとともに、検出部が第二の記憶媒体を検出したとき、削除指示部に関する予告情報を表示する。これによって、使用者が第一の記憶媒体と誤認して削除操作をすることを予防できる。具体的には、削除を行った画像が復元不能であることの警告表示を行う。また、削除を行っても記憶媒体の記憶容量が増えない旨の注意表示を行う。
【００１２】
この発明の他の特徴によれば、記憶媒体の残容量を検出する残容量検出部と、検出部が第二の記憶媒体を検出したとき残容量検出部に基づいて記憶媒体交換を促す表示を行う表示部とを有するデジタルカメラが提供される。これによって、使用者が不要画像を削除して容量を確保できる第一の記憶媒体であると誤認するのを防止することができる。
【００１３】
この発明において、デジタルカメラが記憶媒体の別を検出して上記のような異なった機能を達成するため、この発明による第二の記憶媒体は情報部を有する。このような情報部の具体例としては、デジタルカメラに入力される記憶媒体の属性情報を情報部とすることができる。また、デジタルカメラと接続可能な複数のコネクタを有するコネクタ部を第一の記憶媒体と異ならしめる事によって情報部とすることもできる。さらには、デジタルカメラと接触する記憶媒体の外形を第一の記憶媒体と異ならしめることによって情報部とすることもできる。
【００１４】
この発明の詳細な特徴は、以下に図面とともに説明する発明の実施の形態からさらに明らかとなる。
【００１５】
以下、この発明の実施の形態について説明する。図１は、この発明の実施の形態におけるデジタルカメラシステムのブロック図である。デジタルカメラ１はメモリカードからなる記憶媒体の挿入部となるカードスロット２を有している。このカードスロット２には、通常の書換え可能記憶媒体３または一度だけ書き込みが可能なライトワンス記憶媒体４が挿入可能である。図１では、ライトワンス記憶媒体４が挿入された状態を示す。
【００１６】
デジタルカメラ１は、制御/処理部５によって制御されており、ＬＣＤ表示部６のメニューを見ながら操作部７で撮影モードまたは再生モードを選択する。撮影モードが選択された場合、３００万画像程度の画像センサを有する撮像部８によってレンズ（不図示）からの光学像が繰り返し電子画像信号に変換される。シャッタレリースが行われるまでは、制御/処理部５からの制御により撮像部８からは間引き読出しが行われ、これがＡ/Ｄ変換部９によって間引き画像データにデジタル変換されて制御/処理部５に送られる。制御/処理部５は、間引き画像データを表示画像データに変換して表示バッファ１０に送る。撮像部８は繰り返し撮像を行っているので間引き画像データも繰り返し制御/処理部５に送られ、表示バッファ１０は新しい表示画像データによって次々に書換えられる。これによって、撮像部８によって繰り返し撮像される画像はＬＣＤ表示部６によって、動画としてモニタされ、ＬＣＤ表示部６はデジタルカメラのファインダとして機能する。
【００１７】
操作部７において、シャッタレリーズボタンを押すと、制御/処理部５からの制御により撮像部８からの読出しが全画素読出しとなり、これがＡ/Ｄ変換部９によってデジタル変換される。この状態のデジタルデータは、撮像部８の画像センサから出力された生のデータであるのでＲａｗデータと呼ぶ。Ａ/Ｄ変換部９からのＲａｗデータは、Ｒａｗデータ一バッファ１１に送られ、一時記憶される。Ｒａｗデータの記憶が完了すると、撮像部８の読出しは間引き読出しに戻り、ＬＣＤ表示部６による動画モニタが再開される。
【００１８】
なお、Ｒａｗデータバッファ１１は、１０画像分程度の容量を持っており、シャッタレリーズボタンの操作に応じて最大１０画像程度までの保存が可能である。通常の場合、シャッタレリーズボタンの操作によってＲａｗデータ一バッファ１１に保存されたＲａｗデータは、直ちに制御/処理部５に送られ、補間、ホワイトバランス調整などの処理や圧縮処理などを施された後、カードスロット２を介して、ライトワンス記憶媒体４に記憶される。記憶が完了し、その確認がされると制御/処理部５に送信済みのＲａｗデータはＲａｗデータ一バッファ１１から消去されかまたは上書き可とされる。
【００１９】
Ｒａｗデータバッファ１１における１０画像分程度の容量は、連写などにおいて、制御/処理部５における一つの画像の処理が完了しないうちに次の画像が撮像されるような場合、複数のＲａｗデータを同時に保存するためのものである。ライトワンス記憶媒体４の残容量はＬＣＤ表示部６に表示され、残容量がなくなると、ＬＣＤ表示部に媒体交換を促す表示がＬＣＤ表示部６で行われる。使用者はこれに従って、記憶媒体を新しいものに交換する。なお、記憶された画像の取り出しは、ライトワンス記憶媒体４をデジタルカメラ１から取り出す他、ライトワンス記憶媒体４をカードスロット２内に留めて、デジタル入出力端子１２からデジタル通信ケーブルで取り出すことも可能である。
【００２０】
ライトワンス記憶媒体４に代えて、書換え可能記憶媒体３をカードスロット２に挿入した場合の動作も上記とほぼ同様である。但し、この場合はＬＣＤ表示部６によって不要な画像を確認し、操作部７でこれを削除する操作が可能である。このように、書換え可能記憶媒体３の場合、残容量がなくなったときでも、不要な画像を削除することによって新たな容量を確保できる。
【００２１】
これに対し、ライトワンス記憶媒体４の場合、上記のように残容量がなくなったときは、記憶媒体を新しいものに交換する必要がある。この使用上の差について使用者に混乱が生じないよう、ＬＣＤ表示部６にはカードスロット２に挿入されているのがライトワンス記憶媒体４であるか書換え可能記憶媒体であるかの別が明らかとなるような表示がなされる。
【００２２】
図２は、図１の実施の形態における制御/処理部５の動作のメインフローチャートである。操作部７によって電源オンとなると、ステップＳ１においてデジタルカメラ１が記録モードにて立ち上がる。ステップＳ２ではカードスロット２に記憶媒体が挿入されているかどうかのチェックが行われ、記憶媒体があればステップＳ２でカードスロット２のコネクタを介して記憶媒体からその属性情報が入力される。属性情報とは記憶媒体の種類や容量などの情報であり、ライトワンス記憶媒体４であるか書換え可能記憶媒体３のいずれであるかの情報も含まれる。
【００２３】
ステップＳ４では、入力された属性情報にもとづき、カードスロット２に挿入されているのがライトワンス記憶媒体４であるかどうかがチェックされる。ライトワンス記憶媒体４であった場合はステップＳ５に進み、ＬＣＤ表示部６においてライトワンス記憶媒体４である旨の表示が行われる。この表示は電源がオンである限り継続される。
【００２４】
ステップＳ６では、削除指示無効化処理が行われる。書換え可能記憶媒体３の場合は画像の削除指示が可能であるが、ステップＳ６における削除指示無効化処理とは、このような画像の削除指示がおこなわれてもこれを無効とする処理である。画像の削除は、ＬＣＤ表示部６に対象画像を表示した上で操作部７を操作することによって指示できる他、デジタル入出力端子１２を介して画像を外部に自動読出したあとデジタル入出力端子１２を介して外部から自動指示することが可能であるが、削除指示無効化処理が行われた場合は、これらのいずれの指示も無効となり画像削除の実行処理は行われない。
【００２５】
ステップＳ７では、プロテクト解除指示無効化処理が行われる。書換え可能記憶媒体３の場合は画像の削除指示が可能であるが、誤って削除する事を防止するため画像毎に削除操作に対するプロテクトをかける指示およびそのプロテクトを解除する指示を操作部７などによって行うことができる。ステップＳ７におけるプロテクト解除指示無効化処理とは、このようなプロテクトの解除指示がおこなわれてもこれを無効とする処理である。この実施の形態におけるライトワンス記憶媒体４はプロテクト処理によって画像の書換えができないようになっており、このプロテクト処理が誤って解除されることがないようにするのが、ステップＳ７の目的である。
【００２６】
ステップＳ８では、特別削除割込みを可能とする。ライトワンス記憶媒体４では書換えができないので、記憶済みの画像を削除しても新しい記憶容量を確保できない。従って書換え可能記憶媒体３におけるような新しい記憶容量の確保のための削除操作は必要なく、これがステップＳ６の目的であった。しかしながら、どうしても残したくない画像や、他人に見せたくない画像など、特別に削除したい画像を撮像してしまう場合もある。ステップＳ８はこのような特別の削除を行う操作を可能にするためのもので、その詳細は後述する。
【００２７】
ステップＳ９では、以上の処理の後、記憶媒体の残容量をチェックして表示する。なお、ステップＳ４においてライトワンス記憶媒体４でなかったときは、書換え可能記憶媒体３であるから直接ステップＳ９に至り、その残容量が表示される。
【００２８】
ステップＳ１０では、操作部７におけるシャッタレリーズボタンが押されたときにかかる撮像割込みが可能とされ、ステップＳ１１では、操作部７によって再生モードが選択されたときにかかる再生割込みが可能とされて、ステップＳ１２でフローは待機状態となる。
【００２９】
一方、ステップＳ２で記憶媒体がなかったときはステップＳ１３に進み、ＬＣＤ表示部６で記憶媒体なしの旨の表示を行った後、直ちにステップＳ１２に飛んで待機状態となる。従って、記憶媒体がカードスロット２に挿入されていないときは、撮像割込みおよび再生割込みも不可となる。
【００３０】
なお、上記の実施の形態では、ステップＳ４における記憶媒体のチェックは、ステップＳ３においてカードスロット２のコネクタを介して入力される属性情報によっているが、これと異なった実施の形態とすることも可能である。例えば、記憶媒体とカードスロットとを接続する複数のコネクタピンのうちの特定のものを媒体チェック用とし、書換え可能記憶媒体の場合はこの特定ピンを設けるとともに、ライトワンス記憶媒体の場合はこの特定ピンを欠くよう構成した実施の形態の場合は、ステップＳ４においてカードスロット側のコネクタにこの特定ピンが接続されたかどうかをチェックすることにより挿入されたのがライトワンス記憶媒体であるかどうかを知ることができる。さらに、ライトワンス記憶媒体の外形の一部に切り欠きを設けるなどして記憶媒体の外形を書換え可能記憶媒体とライトワンス記憶媒体で異なるよう構成した実施の形態の場合は、カードスロット側にこの切り欠き等の有無をチェックするスイッチなどを設けることにより、挿入されたのがライトワンス記憶媒体であるかどうかを知ることができる。
【００３１】
図３は、図１の実施の形態において撮像割込みがかかったときの制御/処理部５の動作を示すフローチャートである。操作部７におけるシャッタレリーズボタンが押されることによってフローはステップＳ２１からスタートする。ステップＳ２２では、撮像部８、Ａ/Ｄ変換部９、Ｒａｗデータバッファ１１を介した制御/処理部５への画像の撮りこが行われるとともに、制御/処理部５による画像の補間、圧縮、およびカードスロット２を介した記憶媒体への記憶が行われる。
【００３２】
ステップＳ２３では、カードスロット２に挿入されているのがライトワンス記憶媒体４であるかどうかがチェックされ、ライトワンス記憶媒体である場合はステップＳ２４に進み、ステップＳ２２でライトワンス記憶媒体４に記憶された画像に自動的にプロテクトをかける。ステップＳ２５ではＬＣＤ表示部６においてプロテクトがかかった画像であることを表示する。
【００３３】
ステップＳ２６では、残容量があるかどうかのチェックが行われ、残容量がなければ、ステップＳ２７で記憶媒体交換を促す表示がＬＣＤ表示部６において行ってステップＳ２８でメインフローに戻る。なお、ステップＳ２６において残容量があれば直接ステップＳ２８に飛んでメインフローに戻る。
【００３４】
一方、ステップＳ２３でライトワンス記憶媒体４でなかったときは、書換え可能記憶媒体３であり、この場合も直接ステップＳ２８に飛んでメインフローに戻る。このように書換え可能記憶媒体３の場合はステップＳ２６およびステップＳ２７はスキップされるので、残容量がない場合でも記憶媒体交換を促す表示がなされることはない。
【００３５】
なお、上記の実施の形態におけるライトワンス記憶媒体４は、繰返し書換えに対する性能保証を欠く以外は書換え可能記憶媒体３と基本的に共通の構成であり、ステップＳ２４で自動的にプロテクトをかけることによって書換えを禁止し、混乱が生じないよう構成した。しかし、これと異なった実施の形態も可能であり、例えば、ライトワンス記憶媒体４自体が書換えや削除を禁止する構成となっている場合は、ステップＳ２４やステップＳ２５を省略してもよい。
【００３６】
図４は、図１の実施の形態において再生割込みがかかったときの制御/処理部５の動作を示すフローチャートである。操作部７を操作して再生モードを選択したとき、フローはステップＳ３１からスタートし、ステップＳ３２で再生メニュー割込みを可能とする。
【００３７】
ステップＳ３３では再生処理が行われ、先ずライトワンス記憶媒体４における最新記録画像がＬＣＤ表示部６に再生表示されるとともに、操作部７によって任意に画面送りを行うことができる。なお、操作部７によってサムネイル表示を選択すればＬＣＤ表示部で記録済みの画像を一覧できる。ステップＳ３３における再生処理の一操作完了毎にフローはステップＳ３４に進む。ステップＳ３４では、操作部７によって再生終了の操作がされたかどうかをチェックし、操作が行われた場合はステップＳ３５で再生メニュー割込みを不可とした後、ステップＳ３６でメインフローに戻り、記録モードとなる。なお、ステップＳ３４で再生終了の操作がされていなかった場合はステップＳ３３に戻り、以下再生終了の操作をするまで、ステップＳ３３とステップＳ３４が繰り返される。
【００３８】
図５は、図１の実施の形態において再生メニュー割込みがかかったときの制御/処理部５の動作を示すフローチャートである。再生メニューは、再生モードにおいて行うことが可能な種々の操作のメニューを表示するもので、サムネイル表示、拡大表示、画像の一括削除、画像の個別削除、画像のプロテクト、画像のプロテクト解除、などの操作項目が一覧メニューとしてＬＣＤ表示部６に表示され、これらの一つを操作部７で選択する。
【００３９】
再生モードにおいて操作部７を操作し、再生メニューを選択したとき、フローはステップＳ４１からスタートする。ステップＳ４２ではライトワンス記憶媒体４かどうかのチェックが行われ、ライトワンス記憶媒体４であった場合、ステップＳ４３からステップＳ４５で表示メニューの項目変更処理が行われる。まず、ステップＳ４３では削除メニュー非表示処理が行われ、画像の一括削除、および画像の個別削除の操作項目が非表示となってメニューから除外される。ステップＳ４４ではこれに代えて、特別削除メニュー表示処理が行われ、特別削除が操作項目としてメニューに加えられて表示されるようにする。また、ステップＳ４５では、プロテクトメニュー非表示処理が行われ、画像のプロテクト、および画像のプロテクト解除の操作項目が非表示となってメニューから除外される。以上の処理によってメニューから除外された操作項目は、操作部７によって操作することができなくなる。
【００４０】
ステップＳ４６では、ステップＳ４３からステップＳ４５によって項目変更された結果のメニュー表示が行われる。一方、ステップＳ４２でライトワンス記憶媒体４でなかったときは書換え可能記憶媒体３であるから直接ステップＳ４６に進み、通常どおりのサムネイル表示、拡大表示、画像の一括削除、画像の個別削除、画像のプロテクト、画像のプロテクト解除、などの操作項目が一覧メニューとしてＬＣＤ表示部６に表示される。
【００４１】
ステップＳ４７では、表示されたメニューの操作項目を操作部７で選択し、これを実行する処理が行われる。ステップＳ４７における再生処理の一操作完了毎にフローはステップＳ４８に進む。ステップＳ４８では、操作部７によってメニュー終了の操作がされたかどうかをチェックし、操作が行われた場合はステップＳ４９に進む。ステップＳ４９ではメニュー表示の初期化が行われ、ステップＳ４３からステップＳ４５でメニュー項目の変更処理が行われていた場合には、これが通常どおりのサムネイル表示、拡大表示、画像の一括削除、画像の個別削除、画像のプロテクト、画像のプロテクト解除、などの操作項目によるメニュー表示に復帰する。そしてステップＳ５０でフローは図４の再生割込みフローに復帰する。
【００４２】
なお、ステップＳ４８でメニュー終了の操作がされていなかった場合はステップＳ４７に戻り、以下メニュー終了の操作をするまで、ステップＳ４７とステップＳ４８が繰り返される。なお、上記の実施の形態では、図２のステップＳ６およびステップＳ７で削除指示やプロテクト解除指示を無効にする処理をした上でさらに図５のステップＳ４３やステップＳ４５でこれらの指示項目をメニューから削除するようにし、操作の混乱を避けるとともにエラーが生じた場合の安全策としている。しかしながら、図２のステップＳ６およびステップＳ７の処理が確実に行われるよう構成した場合には、ステップＳ４３およびステップＳ４５を省略することも可能である。この場合、ライトワンス記憶媒体４がカードスロット２に挿入されている場合でも削除やプロテクト関連の操作項目がステップＳ４６で表示され、見かけ上操作部７による選択に供せられる。しかし、これらの項目を選択しても、図２のステップＳ６およびステップＳ７の処理がなされているので、削除やプロテクト解除が実行されることはない。
【００４３】
また、図５のステップ４３およびステップＳ４５の処理が確実に行われるよう構成した場合、図２のステップＳ６およびステップＳ７を省略することも可能である。但し、図２のステップＳ６の代わりに、デジタル入出力端子１２などを介した外部からの削除指示に対しこれを無効化するステップを設けておく必要がある。
【００４４】
さらに、図５のステップＳ４３からステップＳ４５の表示メニューの項目変更処理は図２のステップＳ６からステップＳ８の処理の中で一括して行っておくよう構成することも可能である。図６は、図５のステップＳ４７におけるメニュー選択処理において特別削除割込みがかかったときの制御/処理部５の動作を示すフローチャートである。フローは、ＬＣＤ表示部６に画像が再生表示されている状態で操作部７によって再生メニューから特別削除を選択したとき、ステップＳ５１からスタートする。ステップＳ５２では、書換え不能注意表示が行われ、使用者に削除操作をしても、新たな容量が確保できるわけではない旨注意する。これは、使用者がこの操作を通常の削除操作と混同しないようにするためである。
【００４５】
次に、ステップＳ５３で復元不能警告表示を行う。通常の削除の場合は画像情報そのものを削除するわけではなく、その画像に対応する管理情報の部分のデータを削除状態とし、管理情報で指定される画像情報の記憶エリアを上書き可能とする。従って、削除操作をしても、実際にその画像情報が記憶されているエリアに他の情報が上書きされない限り、特別の復元ソフトを用いて画像の復元を行うことも可能である。一方、ライトワンス記憶媒体においてこのような削除方式をとると、削除対象画像情報の記憶エリアを利用して新しい画像が上書きされ、記憶性能が保証できない恐れがある。従って、実施の形態におけるライトワンス記憶媒体４では、後述のように通常と異なった削除方式を採用し、この結果画像の復元は不能となる。また、これは使用者の意図にも合致する。ステップＳ５３はこの点を使用者に警告するものである。
【００４６】
ステップＳ５４では、上記の注意と警告を納得した上で使用者がステップＳ５３の表示後所定時間以内に操作部７による実行操作をしたかどうかをチェックし、実行操作があればステップＳ５５に進む。ステップＳ５５では、管理情報で指定される削除対象の記憶エリアそのものに意味のない情報を上書きし、画像情報そのものを削除する。ステップＳ５６では管理情報変更処理を行う。但し、これは通常の削除のように対応する記憶エリアが上書き可能である旨の処理ではなく、再生対象から除外する旨の処理となる。従ってこの処理をされた管理情報に対応する画像記憶エリアは使用済みとして新しい画像データの記憶に再利用されることはない。またこの画像記憶エリアの情報は再生対象から外されているので意味のない画像が再生されることもない。
【００４７】
以上によって特別削除が完了し、フローはステップＳ５７で図５の再生メニューに復帰する。一方、使用者がステップＳ５２またはステップＳ５３の表示に基づいて特別削除の意図を撤回し、ステップＳ５４で所定時間以内に操作部７による実行操作をしなかった場合は、直接ステップＳ５７に飛んで、図５の再生メニューに復帰する。
【００４８】
なお、ライトワンス記憶媒体自体が書換えや削除を禁止する構成となっている実施の形態の場合は、上記のように画像記憶エリアに誤って上書きが行われることを防止する観点からの検討は不要であるが、これを削除可能に構成する場合は、通常の書換え可能記憶媒体とは異なる削除方式を採用しなければならない。また、ステップＳ５２やステップＳ５３の表示が必要な事情は変わらない。従って、このような実施の形態においても、図６と同様のステップが必要となる。
【図面の簡単な説明】
【００４９】
【図１】この発明におけるデジタルカメラの実施の形態のブロック図。
【図２】デジタルカメラのメインフローチャート。
【図３】撮像割込みがかかったときのフローチャート。
【図４】再生割込みがかかったときのフローチャート。
【図５】再生メニュー割込みがかかったときのフローチャート。
【図６】特別削除割込みがかかったときのフローチャート。
【符号の説明】
【００５０】
１  デジタルカメラ
２  記憶媒体用ためのカードスロット
３  書換え可能記憶媒体
４  ライトワンス記憶媒体
５  制御/処理部
６  ＬＣＤ表示部
７  操作部
８  撮像部
９  Ａ/Ｄ変換部
１０  表示バッファ
１１  Ｒａｗデータバッファ
１２  デジタル入出力端子
【図１】
0004600517.tif 000002
【図２】
0004600517.tif 000003
【図３】
0004600517.tif 000004
【図４】
0004600517.tif 000005
【図５】
0004600517.tif 000006
【図６】
0004600517.tif 000007